(57)【要約】【課題】カメラを薄型化するとともに、連動レバーの取り付け作業を低コスト化する。【解決手段】カメラ本体１１に電源スイッチ３３を設ける。前面カバー１２の内面側に軸３７を設ける。撮影レンズを覆うレンズ閉じ位置と、撮影レンズを開放するレンズ開放位置との間でスライド自在なスライドカバー１４のスライド操作に連動する連動レバー３４を軸３７に軸着させる。連動レバー３４は、前面カバー１２に設けられた開口部３５に挿通して、ガイド溝４０と係合するピン３４ａと、スライドカバー１４をレンズ開放位置にスライドさせた時に電源スイッチ３３を押圧してオンさせる押圧部３４ｂと、軸３７に軸着させるための穴３４ｃとから一体形成される。【選択図】        図２
2004287255.tif 000002
【特許請求の範囲】
【請求項１】
カメラ本体の前面を覆う前面カバーに、撮影レンズを覆うレンズ閉じ位置と、撮影レンズを開放するレンズ開放位置との間でスライド自在なスライドカバーを設け、前記スライドカバーのスライド操作に連動して、前記カメラ本体に設けられたスイッチを切替える機能を備えたカメラにおいて、
前記スライドカバーと係合させる係合部と、前記スライド操作に連動して回動させる回動部と、スライドカバーをレンズ開放位置にスライドさせた時に、前記スイッチを押圧してオンさせる押圧部とを一体形成した切替え部品と、
前記前面カバーの内面側に前記回動部を軸着させる軸と、
前面カバーに前記係合部を挿通させるための開口部とを設け、
前記切替え部品を前記軸に軸着し、前記開口部から係合部のみ前面カバーの外面側に突出させることを特徴とするカメラ。
【発明の詳細な説明】
【０００１】
【発明の属する技術分野】
本発明はカメラに関し、さらに詳しくは、スライドカバーのスライド操作に連動して電源スイッチの切替えを行うカメラに関するものである。
【０００２】
【従来の技術】
近年、カメラの前面にスライド自在なスライドカバーを設け、このスライドカバーの開閉に連動して電源の切替を行うカメラがよく知られている。このカメラは、非使用時には、スライドカバーを閉じて撮影レンズを保護する。また、使用時には、撮影レンズを覆っているスライドカバーをスライドさせ、スライドカバーが所定の位置まで開いたときに電源スイッチをオンさせる。このような機構を持つカメラが特許文献１に記載されている。その一例を図４に示す。
【０００３】
図４は、上述の機構を有するカメラの分解斜視図である。また、この図において、カメラの背面の図示は省略している。上述の機構は、カメラ本体の前面カバー４５とスライドカバー４６、連動レバー４７、電源スイッチ４８から構成される。前面カバー４５には、撮影レンズ鏡筒が出入りする開口部４９と、スライドカバー４６を組み付けるためのガイド溝４５ａ，ｂと、連動レバー４７を取り付けるための開口部５０とが設けられ、さらに、ピン５１が突設されている。
【０００４】
スライドカバー４６は、開口部４９を覆うレンズ閉じ位置と、開放するレンズ開放位置との間でスライド自在である。スライドカバー４６の内面側には、スライド方向と平行なガイド溝５４，５５が形成される。ガイド溝５４は、連動レバー４７と係合する。さらに、ガイド溝５４には、図中右側の端部に屈曲溝５４ａを設けている。また、ガイド溝５５は、ピン５１と係合する。
【０００５】
連動レバー４７は、第１レバー５９と第２レバー６０及び軸部６１から一体樹脂成形され、スライドカバー４６を前面カバー４５に組み付ける前に、開口部５０に軸部６１が回動自在に取り付けられる。第１レバー５９には、ガイド溝５４と係合するピン５９ａが形成される。第２レバー６０は、スライド操作に連動してカメラ本体に設けられた電源スイッチ４８を切替える。
【０００６】
スライドカバー４６をレンズ開放位置までスライドさせると、ガイド溝５４の端部に屈曲溝５４ａを設けているため、ピン５９ａを介して連動レバー４７が図中反時計方向に回動する。これにより、第２レバー６０が電源スイッチ４８を押圧してオンにすることができる。次いで、スライドカバー４６をレンズ閉じ位置までスライドさせると、連動レバー４７は時計方向に回動するので、電源スイッチ４８をオフすることができる。
【０００７】
【特許文献１】
特開２０００−２８４３４３号公報  （第３頁、第１図）
【０００８】
【発明が解決しようとする課題】
しかしながら、特許文献１記載のカメラでは、連動レバーを、第１レバーと第２レバー及び軸部から一体樹脂成形しているため、第１レバーが前面カバーの外面側に、第２レバーが前面カバーの内面側にそれぞれ配置される。このため、連動レバーを撮影レンズの光軸方向に薄型化するのには限界がある。したがって、カメラの薄型化に支障をきたす恐れがある。さらに、前面カバー上に、第２レバーを挿通させ、尚且つ軸部を軸着できるような形状の開口部を形成する必要があり、また、前面カバーに連動レバー取り付ける作業も複雑になる。このため、コスト上昇を招く恐れがある。
【０００９】
本発明は、上記問題点を解決するものであり、連動レバーを薄型化することによって、カメラを薄型化し、尚且つ低コストに連動レバーの取り付けができるようにしたカメラを提供することを目的とする。
【００１０】
【課題を解決するための手段】
上記目的を達成するために、本発明のカメラは、カメラ本体の前面を覆う前面カバーに、撮影レンズを覆うレンズ閉じ位置と、撮影レンズを開放するレンズ開放位置との間でスライド自在なスライドカバーを設け、前記スライドカバーのスライド操作に連動して、前記カメラ本体に設けられたスイッチを切替える機能を備えたカメラにおいて、前記スライドカバーと係合させる係合部と、前記スライド操作に連動して回動させる回動部と、スライドカバーをレンズ開放位置にスライドさせた時に、前記スイッチを押圧してオンさせる押圧部とを一体形成した切替え部品と、前記前面カバーの内面側に前記回動部を軸着させる軸と、前面カバーに前記係合部を挿通させるための開口部とを設け、前記切替え部品を前記軸に軸着し、前記開口部から係合部のみ前面カバーの外面側に突出させることを特徴とするものである。
【００１１】
【発明の実施の形態】
以下、本発明の実施形態について説明する。図１（Ａ），（Ｂ）は、本発明を実施したカメラの外観を示す斜視図である。（Ａ）は不使用状態を示し、（Ｂ）は使用状態を示している。カメラ１０は、各種撮影機構が組み込まれたカメラ本体１１（図２参照）と、カメラ本体１１の前面を覆う前面カバー１２と、カメラ本体１１の背面を覆う背面カバー１３と、前面カバー１２の前面に取り付けられたスライドカバー１４とからなる。
【００１２】
前面カバー１２には、撮影レンズ１８を保持するレンズ鏡筒１９が出入りする開口部２０、測距離用投光窓２４、対物側ファインダ窓２５、測距用受光窓２６、測光用測光窓２７、シャッタボタン２９、ストロボ発光部３０等が設けられている。また、図示は省略するが、背面カバー１３には、ズーム倍率や撮影モード、撮影サイズ等を切替える各種操作スイッチや、各種情報を表示する液晶パネル、接眼ファインダ窓等が設けられている。
【００１３】
図１（Ａ）に示すように、不使用状態では、レンズ鏡筒１９及びストロボ発光部３０が、カメラ本体１１に収納される。さらに、スライドカバー１４は、開口部２０を覆うレンズ閉じ位置にスライドされ、撮影レンズ１８、レンズ鏡筒１９及び対物側ファインダ窓２４等を保護する。
【００１４】
図１（Ｂ）に示すように、使用状態では、スライドカバー１４は、開口部２０を開放するレンズ開放位置にスライドされる。これにより、撮影レンズ１８、レンズ鏡筒１９及び対物側ファインダ窓２４等を露呈させる。このとき、スライドカバー１４のスライド操作に連動して、後述する電源スイッチ３３をオンに切替える切替機構が作動する。この電源スイッチ３３がオンされることにより、レンズ鏡筒１９が開口部２０から突出し、ストロボ発光部３０が回動してストロボ発光窓３０ａが露呈する。
【００１５】
また、図示は省略するが、前面カバー１２及びスライドカバー１４には、スライドカバー１４を、レンズ開放位置及びレンズ閉じ位置で係止する係止機構が設けられている。
【００１６】
図２は、上述の切替機構を示した分解斜視図である。切替機構は、前面カバー１２、スライドカバー１４、電源スイッチ３３、連動レバー３４から構成される。連動レバー３４は、スライドカバー１４のスライド操作に連動して、電源スイッチ３３を切替える切替部品である。
【００１７】
前面カバー１２の外面側には、スライドカバー１４を組み付けるためのガイド溝１２ａ，ｂと、連動レバー３４をスライドカバー１４に係合させるための開口部３５とが設けられ、さらに、ピン３６が突設されている。前面カバー１２の内面側には、連動レバー３４を軸着するための軸３７が設けられている。
【００１８】
スライドカバー１４には、図示は省略するが、その上縁と下縁とに突起が形成され、ガイド溝１２ａ，ｂに係合する。このため、スライドカバー１４は、レンズ閉じ位置とレンズ開放位置との間でスライド自在となる。さらに、スライドカバー１４の内面側には、スライド方向と平行なガイド溝４０，４１が形成される。
【００１９】
ガイド溝４０は、連動レバー３４と係合する。さらに、ガイド溝４０には、図中右側の端部に屈曲溝４０ａを設けている。ガイド溝４１は、ピン３６と係合する。また、ガイド溝４１は、スライドカバー１４のスライド量に応じた長さにしてあるため、ピン３６がガイド溝４１の両端部に当接することによって、スライドカバー１４の移動範囲が決められる。
【００２０】
電源スイッチ３３は、カメラ本体１１に設けられているため、外部からは完全に隠されてしまう。さらに、電源スイッチ３３には、ボタン３３ａが設けられている。ボタン３３ａが押圧されているときには電源スイッチ３３はオンになり、押圧が解除されると電源スイッチ３３はオフになる。
【００２１】
連動レバー３４は、開口部３５に挿通して、ガイド溝４０と係合するピン３４ａと、スライドカバー１４のスライド操作に連動してボタン３３ａを押圧する押圧部３４ｂと、軸３７に軸着させるための穴３４ｃとから一体形成されている。連動レバー３４は、開口部３５の両端部とピン３４ａとが当接することにより、ボタン３３ａを押圧して電源スイッチ３３をオンにする位置と、押圧を解除して電源スイッチ３３をオフにする位置との間で回動する。
【００２２】
連動レバー３４は、特許文献１記載の連動レバーと異なり、ピン３４ａのみ前面カバー１２の外面側に突出している。さらに、１つのレバー部品で電源スイッチの切替を行えるように形成されているため、撮影レンズ１８の光軸方向に薄型化可能である。
【００２３】
開口部３５は、ピン３４ａを挿通させ、尚且つピン３４ａが電源スイッチオンの位置とオフの位置との間で回動できればよいので、特許文献１記載のカメラより開口部の面積を小さくできる。
【００２４】
連動レバー３４の取り付け作業時には、前面カバー１２をカメラ本体１１に被せる前に、連動レバー３４を軸３７に軸着する。次いで、前面カバー１２をカメラ本体１１に被せると、連動レバー３４は、カメラ本体１１及び前面カバー１２に当接或いは近接した状態で軸３７に軸着される。このため、特許文献１記載のカメラと比較して、取り付け作業を効率良く行うことが可能となる。
【００２５】
次に図３（Ａ），（Ｂ）の斜視図を参照にして、上記実施形態の作用について説明する。（Ａ）は、電源スイッチ３３がオフの状態を示し、（Ｂ）は電源スイッチ３３がオンの状態を示している。（Ａ）において、スライドカバー１４は、上述の係止機構によりレンズ閉じ位置に係止され、撮影レンズ１８及び対物側ファインダ窓２４等を保護する。ピン３４ａは、ガイド溝４０の図中右端部及び開口部３５の上端部に当接する。このとき、押圧部３４ｂは、ボタン３３ａを押圧しないので電源スイッチ３３はオフにされている。
【００２６】
電源スイッチオン時には、スライドカバー１４を図中左方向にスライドさせる。図３（Ｂ）において、スライドカバー１４は、ピン３６とガイド溝４１の図中右端部とが当接する位置までスライドされる。スライドカバー１４は、係止機構によりレンズ開放位置に係止され、撮影レンズ１８及び対物側ファインダ窓２４等を露呈させる。このとき、ピン３４ａは、ガイド溝４０の図中右端部に設けられた屈曲溝４０ａにより下方に押され、屈曲溝４０ａの右端部及び開口部３５の下端部とに当接する。これにより、連動レバー３４は、軸３７を中心にして図中時計方向に回動するため、押圧部３４ｂがボタン３３ａを押圧して、電源スイッチ３３をオンさせる。
【００２７】
撮影が完了後には、スライドカバー１４を図中右方向にスライドさせる。ピン３４ａは、屈曲溝４０，４０ａにより上方に押され、開口部３５の上端部に当接する。これにより、連動レバー３４は、軸３７を中心にして図中反時計方向に回動するため、ボタン３３ａへの押圧が解除されて、電源スイッチ３３をオフさせる。
【００２８】
なお、上記実施形態では、スライドカバーのスライド操作に連動する連動レバーを介して電源スイッチを切替えたが、その他の各種操作部材等を、外装カバーにスライド自在に取り付け、同様の連動レバーを介して各種スイッチ類の切替えを行ってもよい。
【００２９】
【発明の効果】
以上のように、本発明のカメラによれば、連動レバーを薄型化することによりカメラの薄型化が可能となる。さらに、連動レバーの取り付け作業は、前面カバーの内面側に設けた軸に軸着させるだけでよいので、作業数が減りコストダウンが可能となる。また、連動レバーとスライドカバーとを係合させるために設けられた開口部の面積を小さくすることができるため、防塵対策にも有利である。
【図面の簡単な説明】
【図１】本発明を実施したカメラの外観を示す斜視図である。（Ａ）は不使用状態を示し、（Ｂ）は使用状態を示している。
【図２】同カメラの電源スイッチ切替機構を示した分解斜視図である。
【図３】同カメラの電源スイッチ切替機構の作用を説明した説明図である。（Ａ）は電源スイッチオフの状態を示し、（Ｂ）は電源スイッチオンの状態を示している。
【図４】従来のカメラのスイッチ切替機構を示した分解斜視図である。
【符号の説明】
１１  カメラ本体
１２  前面カバー
１４  スライドカバー
１８  撮影レンズ
３３  電源スイッチ
３４  連動レバー
３５  開口部
【図１】
2004287255.tif 000003
【図２】
2004287255.tif 000004
【図３】
2004287255.tif 000005
【図４】
2004287255.tif 000006